(57)【要約】マンホール２と管３とが接続されている、マンホール構造１を施工するにあたり、まず、マンホール構造用止水可とう継手４を準備する。かかるマンホール構造用止水可とう継手４は、剛性の筒状体５と筒状可とう体６とを備えており、筒状可とう体６は、管３の外周に固定される被覆部６ａと、マンホール２に固定される固定部６ｂと、該筒状体と管との間の空間にあって該筒状体の内側に位置し、かつ被覆部６ａ及び固定部６ｂを連結している連結部６ｃとを有しており、固定部６ｂは筒状体５の外周に固定されており、連結部６ｃは、マンホール２と管３との間の変位を吸収する弾性体から形成されている。次に、管３の外周に、かかるマンホール構造用止水可とう継手４を設け、筒状可とう体６の被覆部６ａを管３の外周に固定し、固定部６ｂの外周にマンホール用充填剤を流し込む。
2003008715.tif 000002
【特許請求の範囲】
【請求項１】
マンホールと管とが接続されている、マンホール構造を施工するにあたり、
マンホール構造用止水可とう継手を作製し、前記マンホール構造用止水可とう継手が、剛性の筒状体と筒状可とう体とを備えており、前記筒状可とう体が、前記管の外周に固定される被覆部と、前記マンホールに固定される固定部と、該筒状体と管との間の空間にあって該筒状体の内側に位置し、かつ前記被覆部及び前記固定部を連結している連結部とを有しており、前記固定部が前記筒状体の外周に固定されており、前記連結部が、前記マンホールと前記管との間の変位を吸収する弾性体から形成されており、前記マンホール構造用止水可とう継手を前記管の外周に配置し、前記被覆部を前記管の外周に固定し、前記固定部の外周にマンホール用充填剤を流し込んでマンホール構造を形成することを特徴とするマンホール構造の施工方法。
【請求項２】
前記マンホールが現場打ちコンクリート製のマンホールであり、前記マンホールを、前記マンホール用充填剤によって形成することを特徴とする請求項１記載のマンホール構造の施工方法。
【請求項３】
前記マンホールが既製の組み立てマンホールであり、前記マンホールに削孔面が設けられており、前記固定部の外周と前記削孔面との間に、前記マンホール用充填剤を流し込むことを特徴とする請求項１記載のマンホール構造の施工方法。
【請求項４】
前記固定部が鍔部を有しており、前記鍔部が前記マンホールに食い込むことを特徴とする請求項１〜３のいずれか一項記載のマンホール構造の施工方法。
【請求項５】
マンホールと管とを接続するために用いる、マンホール構造用止水可とう継手であって、
剛性の筒状体と筒状可とう体とを備えており、前記筒状可とう体が、前記管の外周を被覆する被覆部と、前記マンホールに固定される固定部と、該筒状体と管との間の空間にあって該筒状体の内側に位置し、かつ前記被覆部及び前記固定部を連結する連結部とを有しており、前記固定部が前記筒状体の外周に固定されており、前記連結部が、前記マンホールと前記管との間の変位を吸収する弾性体から形成されており、前記被覆部が前記管の外周に固定され、前記固定部の外周にマンホール用充填剤が流し込んでマンホール構造を形成することを特徴とするマンホール構造用止水可とう継手。
【請求項６】
マンホールと管とが接続されている、マンホール構造であって、
請求項１〜４のいずれか一項記載のマンホール構造の施工方法によって得られていることを特徴とする、マンホール構造。
【請求項７】
マンホールと管とマンホール構造用止水可とう継手とを備えており、前記マンホールと前記管とが前記マンホール構造用止水可とう継手によって接続されている、マンホール構造であって、
前記マンホール構造用止水可とう継手が剛性の筒状体と筒状可とう体とを備えており、前記筒状可とう体が、前記管の外周を被覆する被覆部と、前記マンホールに固定される固定部と、該筒状体と管との間の空間にあって該筒状体の内側に位置し、かつ前記被覆部及び前記固定部を連結する連結部とを有しており、前記固定部が前記筒状体の外周に固定されており、前記連結部が、前記マンホールと前記管との間の変位を吸収する弾性体から形成されており、前記被覆部が前記管の外周に固定されており、前記固定部の外周にマンホール用充填剤が流し込んでマンホール構造を形成することを特徴とするマンホール構造。
【発明の詳細な説明】
〔発明の属する技術分野〕
本発明は、マンホール構造の施工方法、マンホール構造用止水可とう継手及びマンホール構造に関する。
〔従来の技術〕
管の施工方法には、掘削及び埋め戻しによる工法と、推進工法等がある。推進工法は、まず発進及び到達の両立坑を堀り、次に立て坑内より横ボーリング機械で掘削しながら下水道管をジャッキにて押込んでいく工法である。
図４は、従来のマンホール構造４１の縦断面図である。図４に示すように、マンホール４２は、立て坑内に敷設される。立て坑を掘る場合の土留め壁は、最小作業範囲になるため鋼管が使われるのが一般的である。マンホールの構築においては、そのケーシング鋼管が外側型枠４４となり、内側型枠４５との間に、マンホール４２が形成される。
かかる立て坑内でマンホール４２を構築する場合、先に敷設された下水管等の管４３は、マンホール４２の設置スペースの関係から、マンホール壁部コンクリート４６内に埋め込まれる。
また、図４に示すように、管４３とマンホール壁部コンクリート４６の界面４７は漏水の水道（みずみち）になり易いことから、コンクリート４６と管４３との付着をよくし、漏水を防ぐため、管４３の外周面４３ａに砂４８を糊付けした砂付き短管がよく用いられる。
〔発明が解決しようとする課題〕
図４に示すマンホール構造４１では、コンクリート４６と管４３との結合は剛結合となり、地震時等には、管４３が破損してしまうおそれがある。特に、管４３がヒューム管や陶管等である場合、地盤変位により破損し易い。
管３が樹脂管等の可とう管である場合、地盤変位によって破損するおそれは低くなるものの、依然として破損のおそれが高い。また、樹脂管は、コンクリートに接着せず、砂つき短管を用いないと水道ができ、止水性に問題がある。
砂付き短管は、図４に示すように、コンクリート４６の硬化前の脱水沈下により管４３の下部に生じたり、経年後に、コンクリート４６の乾燥収縮により生じる微小な隙間４９等によって、漏水を発生させる。
樹脂管等の可とう管では、特に、可とう性があるために、管扁平が土圧等により発生し易く、砂つき短管を用いても、水道の発生を完全に取除くことはできない。
本発明の課題は、マンホールと管とをマンホール構造用止水可とう継手によって柔結合とし、地震時等の際に、管の破損を防ぐことである。
また、本発明の課題は、マンホールと管との間の漏水を完全に防止することである。
〔課題を解決するための手段〕
本発明は、マンホールと管とが接続されている、マンホール構造を施工するにあたり、マンホール構造用止水可とう継手を作製し、前記マンホール構造用止水可とう継手が、剛性の筒状体と筒状可とう体とを備えており、前記筒状可とう体が、前記管の外周に固定される被覆部と、前記マンホールに固定される固定部と、該筒状体と管との間の空間にあって該筒状体の内側に位置し、かつ前記被覆部及び前記固定部を連結している連結部とを有しており、前記固定部が前記筒状体の外周に固定されており、前記連結部が、前記マンホールと前記管との間の変位を吸収する弾性体から形成されており、前記マンホール構造用止水可とう継手を前記管の外周に配置し、前記被覆部を前記管の外周に固定し、前記固定部の外周にマンホール用充填剤を流し込んでマンホール構造を形成するマンホール構造の施工方法に係るものである。
また、本発明は、かかる施工方法に用いるマンホール構造用止水可とう継手及びかかる施工方法によって得られるマンホール構造に係るものである。
本発明は、所定のマンホール構造用止水可とう継手を用いることで、推進工法の管と現場打ちコンクリート製のマンホールとのジョイント部を柔結合としたマンホール構造が得られるという知見に基づくものである。
本発明では、マンホール構造は、マンホールと管とマンホール構造用止水可とう継手とを備えており、管の外周にマンホール構造用止水可とう継手を固定した後、マンホール構造用止水可とう継手の外側に、マンホール用充填剤を流し込むことにより施工する。
本発明にかかるマンホール構造用止水可とう継手は、剛性の筒状体と筒状可とう体とを備えている。剛性の筒状体は、筒状可とう体の内側に配置され、筒状可とう体をマンホールに固定する働きをする。
本発明にかかる筒状可とう体は、管の外周に固定される被覆部と、マンホールに固定される固定部と、被覆部及び固定部を連結する連結部とを有している。
本発明にかかる筒状可とう体の固定部は、剛性の筒状体の外周に固定されている。かかる剛性の筒状体は、筒状可とう体の固定部をマンホールに固定させる。
本発明では、筒状可とう体の被覆部を管の外周に固定し、筒状可とう体の固定部の外周にマンホール用充填剤を流し込むことで、マンホール構造を施工することができる。
本発明では、マンホール用充填剤とは、現場打ちマンホールの壁を構成するために型枠内に流し込まれるコンクリートや、組み立てマンホール等のマンホールに設けられた削孔面に、マンホール構造用止水可とう継手を固定するために、削孔面とマンホール構造用止水可とう継手との間に充填されるものをいう。
本発明にかかる筒状可とう体は、連結部がマンホールと管との間の変位を吸収する弾性体から形成されている。かかる連結部は、マンホールと管との間で、これらの間の変位を吸収する働きをする。
本発明にかかる筒状体は、筒状可とう体の固定部の外周にマンホール用充填剤が流し込まれる際、筒状可とう体の固定部を支持し、かかる固定部をマンホールに固定する働きをする。
また、本発明にかかる筒状体は、筒状可とう体の固定部と被覆部との間に空間を確保し、この空間において、筒状可とう体の連結部が、マンホールと管との間の変位を吸収する。
本発明によれば、管の外周にマンホール構造用止水可とう継手を固定した後、マンホール構造用止水可とう継手の外側に、マンホール用充填剤を流し込むことにより、マンホールと管とが柔結合で接続されたマンホール構造を極めて効率的に施工することができる。
〔発明の実施の形態〕
本発明の実施の形態を説明する。
（１）マンホール
本発明では、マンホールは、現場打ちコンクリート製のマンホールの他、既製の組み立てマンホール等の予め工場等で製造されたマンホールを用いることができる。
組み立てマンホールの場合、管と接続するためのマンホール壁面の削孔は、現場で形成しても良いが、工場等の品質管理の行き届いたところで形成するのが良い。
本発明にかかる現場打ちコンクリート製のマンホールは、立坑等の現場において型枠内にマンホール用充填剤を流し込んで形成することができる。
（２）管
本発明にかかる管は、かかるマンホールとマンホール等とをつなぐ管であり、代表的には、下水道管等の管である。かかる管は、推進工法で、少なくとも２つの立坑間で推進敷設することができる。
（３）マンホール用充填剤
本発明にかかるマンホール用充填剤は、現場打ちマンホールを構成したり、既製の組み立てマンホールの削孔面にマンホール構造用止水可とう継手を固定するのに用いるものである。
かかるマンホール用充填剤は、特に制限されることなく、コンクリート、モルタルコンクリート等、種々の材質のものを用いることができる。かかるマンホール用充填剤は、筒状体の外周とマンホールの削孔面との間が狭い場合等には、特に、無収縮モルタル、樹脂モルタル、エポキシ樹脂等が好適に用いられる。
本発明では、管を推進工法で少なくとも２つの立坑間で推進敷設した後、立坑内で、既製のコンクリート部材等を組み立て、マンホール用充填剤によって、マンホール構造用止水可とう継手を組み立てマンホールの削孔面に固定することができる。
（４）マンホール構造用止水可とう継手
本発明にかかるマンホール構造用止水可とう継手は、剛性の筒状体と筒状可とう体とを備えている。
本発明にかかるマンホール構造用止水可とう継手は、現場打ちコンクリート製マンホールの場合、マンホール壁を形成するのに先立ち、推進工法等によって敷設された管に装着することができる。
また、本発明にかかるマンホール構造用止水可とう継手は、既製の組み立てコンクリート製マンホールの場合には、マンホール壁を形成した後、推進工法によって敷設された管に装着することができる。この場合、マンホール構造用止水可とう継手は、推進工法で敷設された管をマンホールの内面まで継ぎ足した後、マンホールの壁の削孔と継ぎ足した管との間に挿入することができる。
（５）筒状可とう体
本発明にかかる筒状可とう体は、管の外周に固定され、管の外周を被覆する被覆部と、マンホールに固定される固定部と、被覆部及び固定部を連結する連結部とを有している。連結部は、筒状体と管との間の空間にあって、該筒状体の内側に位置している。図示されるように連結部は筒状体の半径方向内側で、その両端部の軸方向内側に位置している。また、推進工法の場合、図示するように固定部をマンホール内部から管へ固定することが可能とするような方向に連結部が延びている。
筒状可とう体の固定部は、剛性の筒状体に固定される。かかる固定部の筒状体への固定は、特に制限されず、種々の固定手段を採用することができる。かかる固定手段としては、接着等も考えられるが、耐久性や安定性を考慮する場合、特に、締結バンドや締め付けバンドを好適に用いることができる。
筒状可とう体の被覆部は、管の外周を被覆し、管の外周に固定される。かかる被覆部の固定にも、種々の固定手段を採用することができる。特に、締結バンドを好適に用いることができる。
筒状可とう体の連結部は、剛性の筒状体と管との間に形成される空間で、マンホールと管との間の変位を吸収する弾性体であれば、特に形状等の制限を受けずに、種々のものを用いることができる。
本発明では、管に装着された筒状可とう体の固定部の外周に、マンホール用充填剤が流し込まれ、マンホールが形成される。
また、本発明では、管に装着された筒状可とう体の固定部の外周に、マンホール用充填剤が流し込まれ、予め形成されたマンホールの削孔面と筒状体との間を埋めることができる。
本発明では、筒状可とう体の固定部及び被覆部は、それぞれ、マンホール及び管に固定される。このようにすることで、マンホールと管との間を一定の間隔で保つことができる。また、マンホールと管とが異なった変位をして位置ズレを起こしても、筒状可とう体が変位を効率的に吸収し、接合部の破損を防ぐことができる。
本発明にかかる筒状可とう体は弾性体から形成することができる。かかる弾性体は、マンホールと管との間の変位を吸収できる柔軟さがあれば、特に制限されることは無く、ゴム等の種々の材質からなるものを用いることができる。
かかる筒状可とう体は、折り返し形状の２重の筒状部を持つ構造とすることができる。かかる筒状可とう体は、各筒状部が被覆部又は固定部として働くものであり、各筒状部が連結部によって連結された構造とすることができる。
かかる筒状可とう体では、外側円筒部の内側に剛性の筒状体を設け、外側円筒部が内側に折れこまないようにすることができる。
（６）剛性の筒状体
本発明にかかる筒状体は、特に制限されることなく、種々の材質からなることができ、種々の形状を有することができる。本発明では、剛性パイプを用いることができる。かかる剛性パイプは、ステンレス鋼製等の耐腐食性のものを好適に用いることができる。
かかる筒状体は、筒状体と管との間で、筒状可とう体の連結部が収容される空間を確保する。このため、かかる筒状体は、好ましくは、打設コンクリート等の圧力によって変形し難いものがよい。本発明では、管と同様の材質の筒状体を用いることができる。
また、かかる筒状体は、現場打ちコンクリート等のマンホール用充填剤が流し込まれる際のダムの役目をすることができる。
（７）保護材
本発明では、マンホール用充填剤の流れ込みを防止したり、筒状可とう体の連結部が収容される空間を確実に形成するために、保護材を用いることができる。
かかる保護材は、筒状体と管との間や、筒状体と筒状可とう体の被覆部との間や、マンホールと管との間を所定の間隔に保つものである。
かかる保護材は、例えば、筒状体と筒状可とう体の被覆部との間や、マンホール用充填剤のための内側型枠と筒状可とう体の連結部との間等に設けることができる。
本発明では、かかる保護材は、マンホール用充填剤を流し込み、マンホールを形成した後には、取り去ることができる。
（８）鍔部
本発明では、筒状可とう体の固定部の外周に、鍔部を設けることができる。かかる鍔部は、マンホール用充填剤に食い込み、固定部をマンホールに固定するのに役立つ。また、固定部とマンホール用充填剤との密着性を高める働きをする。
鍔部は、マンホール用充填剤に食い込み、マンホール用充填剤内で固定されれば、材質や形状等の制限は特にない。かかる鍔部は、打設するマンホール用充填剤の圧によって変形し難いものが好ましい。
本発明にかかる鍔部がマンホール用充填剤と接する面には、マンホール用充填剤と接着する接着材や粘着材を貼り付けることができる。
かかる接着材や粘着材としては、水膨張ゴム系接着材や非加硫ブチルゴム系粘着材、水膨張性シール材、好ましくは、非加硫ブチルゴム系粘着材を用いることができる。
かかる鍔部とその外面に接着材や粘着材を貼り付けた固定部を備えるマンホール構造用止水可とう継手によれば、固定部の外周の接着材や粘着材が貼られている鍔部をマンホール用充填剤中に埋め込むことにより、マンホールと筒状体との間の浸入水を遮断でき、マンホール用充填剤の界面からの漏水を完全に防止することができる。
図面を参照して、本発明を更に詳細に説明する。
図１は、本発明の一例のマンホール構造の縦断面図である。図２は、本発明の一例のマンホール構造用止水可とう継手の斜視図である。図３は、本発明の他の例のマンホール構造の縦断面図である。
図１及び２に示すように、マンホール構造１は、マンホール２と管３とマンホール構造用止水可とう継手４とを備えている。
本発明では、かかるマンホール構造１は、管３の外周にマンホール構造用止水可とう継手４を固定した後、マンホール構造用止水可とう継手４の外側に、マンホール用充填剤を流し込むことにより施工される。
かかるマンホール構造１は、管３の外周に、マンホール構造用止水可とう継手４が設けられている。マンホール構造用止水可とう継手４は、剛性の筒状体５と筒状可とう体６とを備えている。
筒状可とう体６は、管３の外周を被覆する被覆部６ａとマンホール２に固定される固定部６ｂと被覆部６ａ及び固定部６ｂを連結する連結部６ｃとを有している。
固定部６ｂは、筒状体５の外周に固定されている。連結部６ｃは、マンホール２と管３との間の変位を吸収する弾性体から形成されている。連結部は、マンホール内側から外側の方向で半径方向に拡径するように形成され、それによって被覆部をマンホールの内側から管の外周に固定することができるようになっている。
被覆部６ａは、管３の外周に固定されている。固定部６ｂの外周には、マンホール用充填剤が流し込まれ、マンホール２が形成されている。
本発明では、固定部６ｂは、図１及び２に示すような鍔部７を有することができる。鍔部７は、表面に非加硫ブチルゴム層８を有している。鍔部７は、マンホール２に食い込んでいる。
また、本発明では、被覆部６ａは、図１及び２に示すような管側締結バンド９を用いて、管３に固定することができ、固定部６ｂは、筒状体側締結バンド１０で筒状体５に固定することができる。
図１のマンホール構造１は、立て坑内で施工されるものであり、立て坑土留め用ケーシング１１をマンホール用充填剤の型枠として用いることができる。
図３は、他の例のマンホール構造２１を示すものである。
マンホール構造２１では、マンホール構造用止水可とう継手２４を用いる以外は、マンホール構造１とほぼ同様である。
マンホール構造用止水可とう継手２４は、剛性の筒状体２５と筒状可とう体２６とを備えている。
筒状可とう体２６は、管２３の外周を被覆する被覆部２６ａと、マンホール２２に固定される固定部２６ｂと、被覆部２６ａ及び固定部２６ｂを連結する連結部２６ｃとを有している。
推進管である管２３に、筒状可とう体２６の内側の被覆部２６ａを締め付けバンド２９で固定する。
マンホール用充填剤の流れ込みを防止し、空間３２を確実に形成するために、保護材３３ａ，３３ｂを、筒状体２５と被覆部２６ａとの間と、マンホール用充填剤の内側型枠３４と連結部２６ｃとの間に入れる。
外側型枠の立て坑土留め用ケーシング３１と内側型枠３４との間に、コンクリート等のマンホール用充填剤を流し込み、マンホール壁コンクリートを形成する。
図３のマンホール構造２１では、筒状可とう体２６の外側の固定部２６ｂに、鍔部２７を設け、鍔部２７の表面に非加硫ブチルゴム又は水膨張性シール材２８をセットし、コンクリートと接着させ、止水性を持たせている。
本発明では、鍔部を設けず、筒状可とう体の固定部又は筒状体の外側に非加硫ブチルゴム又は水膨張性シール材を取付けても、止水性を高めることができる。
〔発明の効果〕
本発明によれば、管の外周にマンホール構造用止水可とう継手を固定した後、マンホール構造用止水可とう継手の外側に、マンホール用充填剤を流し込むことにより、マンホールと管とが柔結合で接続されたマンホール構造を簡単に施工することができる。また、可とう継手の連結部を筒状体と管との間の空間にあって筒状体の内側に位置させることによって、筒状体にかかる変位負荷を効果的に吸収するとともに、施工時充填材が連結部に付着しその弾性運動が阻げられるのを回避し、また埋設マンホール構造において連結部が土砂と常時接触し劣化するのを防止することができる。
【図面の簡単な説明】
図１は本発明の一例のマンホール構造の縦断面図である。
図２は本発明の一例のマンホール構造用止水可とう継手の斜視図である。
図３は本発明の他の例のマンホール構造の縦断面図である。
図４は従来のマンホール構造の縦断面図である。
【図１】
2003008715.tif 000003
【図２】
2003008715.tif 000004
【図３】
2003008715.tif 000005
【図４】
2003008715.tif 000006
【国際調査報告】
2003008715.tif 000007
2003008715.tif 000008
2003008715.tif 000009
2003008715.tif 000010